(57)【要約】  【課題】  公園、屋上庭園、舗道等で人為的に植設される樹木を支持しながら施工するための樹木の支持施工方法と、その支持施工方法に用いられる根鉢用の固定用具に関し、ワイヤーロープやベルト等の紐材を用いる必要がなく、従ってこのような紐材を用いていたことによる根鉢と植穴底面間に隙間が生ずる等の問題を解消し、それによって根鉢の移動に伴う根鉢の崩壊を防止でき、また根鉢の肩部の一点に力が集中するようなことがなく、根鉢の肩部における崩壊等も防止することを課題とする。  【解決手段】  樹木の根鉢１０を被包するための被包材１の上面の開口部３から、前記根鉢１０を前記被包材１内に収納し、前記被包材１の下部を固定した状態で、該被包材１で前記根鉢１０を下側から上側に向かって包み込むように被包し、前記被包材１を前記根鉢１０の周囲に沿わせつつ前記被包材１の開口部３の端縁を緊締させて根鉢１０を固定することにより、樹木を支持して施工することを特徴とする。【選択図】  図９
2006280316.tif 000002
【特許請求の範囲】
【請求項１】
樹木の根鉢（１０）を被包するための被包材（１）の上面の開口部（３）から、前記根
鉢（１０）を前記被包材（１）内に収納し、前記被包材（１）の下部を固定した状態で、
該被包材（１）で前記根鉢（１０）を下側から上側に向かって包み込むように被包し、前
記被包材（１）を前記根鉢（１０）の周囲に沿わせつつ前記被包材（１）の開口部（３）
の端縁を緊締させて根鉢（１０）を固定することにより、樹木を支持して施工することを
特徴とする樹木の支持施工方法。
【請求項２】
根鉢（１０）を載置するための載置材（２）に被包材（１）の下部を固定し、根鉢（１０）を被包材（１）に収納するとともに、根鉢（１０）を載置材（２）に載置する請求項１記載の樹木の支持施工方法。
【請求項３】
載置材（２）の略中央に孔（５）が穿設されているとともに、該載置材（２）の孔（５）の周縁部に係止される係止部材（４）が被包材（１）の底部に装着され、該被包材（１）の上部を絞り込んで前記載置材（２）の裏面側から表面側にかけて該載置材（２）の孔５を通過させ、前記被包材（１）を引き上げて前記載置材（２）の裏面側の孔（５）の周縁部に前記被包材（１）の係止部材（４）を係止させることによって被包材（１）の下部を載置材（２）に固定する請求項２記載の樹木の支持施工方法。
【請求項４】
樹木の根鉢（１０）を収納することのできる開口部（３）を上面に有し、樹木の根鉢（１０）を収納した際に、該根鉢（１０）を下側から上側に向かって包み込むように被包し、
前記根鉢（１０）の周囲に沿わせつつ前記開口部（３）の端縁を緊締させることのできる可撓性素材で構成された被包材（１）と、前記根鉢（１０）を載置することのできる大きさに形成され、且つ前記被包材（１）の下部を固定することのできる手段を備えた載置材（２）とを具備することを特徴とする樹木の根鉢用固定用具。
【請求項５】
載置材（２）の略中央に孔（５）が穿設されているとともに、該載置材（２）の孔（５）の周縁部に係止される係止部材（４）が被包材（１）の底部に装着され、該被包材（１）の上部を絞り込んで前記載置材（２）の裏面側から表面側にかけて該載置材（２）の孔５を通過させ、前記被包材（１）を引き上げて前記載置材（２）の裏面側の孔（５）の周縁部に前記被包材（１）の係止部材（４）を係止させることによって被包材（１）の下部が載置材（２）に固定される請求項４記載の樹木の根鉢用固定用具。
【発明の詳細な説明】
【技術分野】
【０００１】
本発明は、樹木の支持施工方法、並びにその支持施工方法に用いられる根鉢用の固定用具、さらに詳しくは、公園、屋上庭園、舗道等で人為的に植設される樹木を支持しながら施工するための樹木の支持施工方法と、その支持施工方法に用いられる根鉢用の固定用具に関する。
【背景技術】
【０００２】
従来、この種の樹木を支持施工する技術として下記特許文献１、特許文献２、特許文献３のような技術がある。特許文献１は樹木植栽の定置方法の発明に関するもので、植穴の底面に打ち込まれる抵抗板をリング状の定置板で定置させ、その抵抗板にワイヤーロープを掛け回して樹木を支持する施工方法を開示するものである。
【０００３】
また特許文献２は樹木の支持施工装置の発明に関するもので、外枠に網状の鋼板を固設した固定基盤上に、樹木の根鉢を載置するとともに、樹木の根鉢の底面中央部に敷材を配設し、敷材の直交線上の点対称位置に固定ワイヤの固定端をそれぞれ連結し、且つ固定端から２条に分岐して延びる先端が自由端の分岐ワイヤ部を、樹木の根元部を略方形状に囲繞するように、根鉢の外周面に沿わせて、且つそれぞれ反対方向に周回させて配設し、且つ分岐ワイヤ部の自由端を、締付金具を介して固定基盤の外枠に連結固定した樹木の支持施工装置を開示するものである。
【０００４】
さらに特許文献３は樹木の支持方法及びその支持装置に関するもので、植付け孔の底面に基枠を載置し、この基枠の上面中央に載置した樹木の根鉢を当該基枠に縛りつけた後、植付け孔を埋め戻すようにした樹木の支持方法において、突出端に押圧板が固定された複数の支持脚を基枠の外周部に、その放射方向に出退自在に設け、植付け孔の埋め戻し前に、押圧板が植付け孔の立側面に面接するよう各支持脚を突出させ、この面接位置において各
支持脚を基枠に固定する支持方法を開示するものである。
【０００５】
しかしながら、上記のような樹木の支持施工の技術は、いずれもワイヤーロープやベルト等の紐状体を根鉢に掛け回して樹木を支持する点で共通しており、このような紐状体を根鉢に掛け回して樹木を支持する技術においては、根鉢と植穴の底面との間にどうしても隙間が生ずることとなり、このような隙間が生ずることによって、根鉢が動くと根鉢にかかる力のバランスが崩れ、根鉢が歪んで崩れるおそれがあるという問題点があった。
【０００６】
また、紐状体を根鉢に掛け回して樹木を支持する方法の場合、その紐状体が掛け回された根鉢の肩部の一点に力が集中するおそれがあり、その結果、力が集中した肩部の部分が崩れるおそれがあった。また上記特許文献１乃至３の技術においては、紐状体以外にも剛性の部材で根鉢の肩部を押圧する技術もあり、根鉢の肩部における崩壊等は、この種技術分野においては、避けられない問題にもなっていた。
【０００７】
そして、このように根鉢の肩部が崩れると、根鉢全体が崩壊する要因ともなっていた。
また、このように根鉢が一旦崩壊して樹木が傾倒すると、根鉢と樹木を立て直しても、根が根鉢から分離しているので、その後に根を活着させることが困難になるという問題点があった。
【０００８】
さらに、樹木は固定しすぎると、幹の成長がいびつになり、発根量も少なくなるという性質がある。たとえば木支柱等で幹を固く固定しすぎると、固定されている箇所より下の幹の部分が細くなるという性質がある。
【０００９】
【特許文献１】特開平５−１５３８７７号公報
【特許文献２】特開平６−１４１７０５号公報
【特許文献３】特開平８−９７９６号公報
【発明の開示】
【発明が解決しようとする課題】
【００１０】
本発明は上述のような問題点を解決するためになされたもので、上記従来のワイヤーロープやベルト等の紐材を用いる必要がなく、従ってこのような紐材を用いていたことによる根鉢と植穴底面間に隙間が生ずる等の問題を解消し、それによって根鉢の移動に伴う根鉢の崩壊を防止でき、また根鉢の肩部の一点に力が集中するようなことがなく、根鉢の肩部における崩壊等も防止することを課題とするものである。
【課題を解決するための手段】
【００１１】
本発明は、このような課題を解決するために、樹木の支持施工方法、並びにその支持施工方法に用いられる根鉢用の固定用具としてなされたもので、樹木の支持施工方法に係る請求項１記載の発明は、樹木の根鉢１０を被包するための被包材１の上面の開口部３から、前記根鉢１０を前記被包材１内に収納し、前記被包材１の下部を固定した状態で、該被包材１で前記根鉢１０を下側から上側に向かって包み込むように被包し、前記被包材１を前記根鉢１０の周囲に沿わせつつ前記被包材１の開口部３の端縁を緊締させて根鉢１０を固定することにより、樹木を支持して施工することを特徴とする。
【００１２】
また請求項２記載の発明は、請求項１又は２記載の樹木の支持施工方法において、根鉢１０を載置するための載置材２に被包材１の下部を固定し、根鉢１０を被包材１に収納するとともに、根鉢１０を載置材２に載置することを特徴とする。
【００１３】
さらに請求項３記載の発明は、請求項２記載の樹木の支持施工方法において、載置材２の略中央に孔５が穿設されているとともに、該載置材２の孔５の周縁部に係止される係止部材４が被包材１の底部に装着され、該被包材１の上部を絞り込んで前記載置材２の裏面側から表面側にかけて該載置材２の孔５を通過させ、前記被包材１を引き上げて前記載置材２の裏面側の孔５の周縁部に前記被包材１の係止部材４を係止させることによって被包材（１）の下部を載置材（２）に固定することを特徴とする。
【００１４】
さらに樹木の根鉢用固定用具に係る請求項４記載の発明は、樹木の根鉢１０を収納することのできる開口部３を上面に有し、樹木の根鉢１０を収納した際に、該根鉢１０を下側から上側に向かって包み込むように被包し、前記根鉢１０の周囲に沿わせつつ前記開口部３の端縁を緊締させることのできる可撓性素材で構成された被包材１と、前記根鉢１０を載置することのできる大きさに形成され、且つ前記被包材１の下部を固定することのできる手段を備えた載置材２とを具備することを特徴とする。
【００１５】
さらに請求項５記載の発明は、請求項４記載の樹木の根鉢用固定用具において、載置材２の略中央に孔５が穿設されているとともに、該載置材２の孔５の周縁部に係止される係止部材４が被包材１の底部に装着され、該被包材１の上部を絞り込んで前記載置材２の裏面側から表面側にかけて該載置材２の孔５を通過させ、前記被包材１を引き上げて前記載置材２の裏面側の孔５の周縁部に前記被包材１の係止部材４を係止させることによって被包材１の下部を載置材２が固定されることを特徴とする。
【発明の効果】
【００１６】
本発明は、上述のように、樹木の根鉢を被包するための被包材の上面の開口部から、根鉢を被包材内に収納し、被包材の下部を固定した状態で、被包材で根鉢を下側から上側に向かって包み込むように被包し、被包材を根鉢の周囲に沿わせつつ被包材の開口部の端縁を緊締させて根鉢を固定することにより、樹木を支持して施工する方法であるため、従来の樹木の支持施工方法のようにワイヤーロープやベルト等の紐材を用いる必要がなく、従ってこのような紐材を用いていたことによる根鉢と植穴底面間に隙間が生ずる等の問題を解消し、それによって根鉢の移動に伴う根鉢の崩壊を防止することができるという効果がある。
【００１７】
また従来のようにワイヤーロープやベルト等の紐材を用いず、被包材で根鉢を下側から上側に向かって包み込むように被包して根鉢を固定する方法であるので、根鉢の肩部の一点に力が集中するようなことがなく、根鉢の肩部における崩壊等も防止できるという効果がある。
【００１８】
さらに被包材で根鉢を下側から上側に向かって包み込むように被包して根鉢を固定する方法であるので、根鉢が柔らかく、崩れやすい場合に特に有効である。
【００１９】
さらに根鉢を載置するための載置材に被包材の下部を固定する手段を講じた場合、たとえば載置材の略中央に孔を穿設するとともに、該載置材の孔５の周縁部に係止される係止部材４を被包材１の底部に装着し、該被包材の上部を絞り込んで前記載置材の裏面側から表面側にかけて該載置材の孔を通過させ、前記被包材１を引き上げて前記載置材の裏面側の孔５の周縁部に前記被包材１の係止部材４を係止させる被包材の下部を載置材に固定する場合には、被包材が載置材の孔から抜け出るのが好適に禁止され、被包材が載置材に固定されることで不用意に移動することがなく、しかも根鉢は載置材に載置されているので、このような根鉢を被包するための被包材と、根鉢を載置するための載置材とで根鉢を確実に固定することができる。
【発明を実施するための最良の形態】
【００２０】
以下、本発明の実施形態について、図面に従って説明する。
【００２１】
先ず、根鉢用固定用具を構成する根鉢用の被包材１と、根鉢用の載置材２を準備する。
【００２２】
根鉢用の被包材１は、全体が合成樹脂製のネットからなるもので、図１及び図２に示すように上面に開口部３を有するとともに、下面はネットを絞り込んで閉塞状態とされ、全体が有底略筒状に形成されている。この被包材１の底部には、金属製の小さなリング状の係止部材４が装着されている。尚、被包材１には、後述のように、合成樹脂製のネット以外のものを使用することも可能である。また係止部材４としてはリング状以外の形状のものを用いることも可能である。
【００２３】
根鉢用の載置材２は、ヤシの繊維からなるマット、より具体的には、ヤシの繊維を編み目の細かい状態に編成又は織成したマット状に形成されたものであり、図３乃至図５に示すように、全体が平面略正方形状に形成されている。この載置材２の略中央には、小さな孔５が穿設されている。この孔５の径は、前記被包材１の底部に装着された係止部材４の内径よりも、やや小さな径に形成されている。
【００２４】
次に、前記被包材１と載置材２とを合体させて図５に示すように根鉢用固定具７を構成する。
【００２５】
より具体的に説明すると、被包材１の上部を絞り込んで載置材２の裏面側から表面側にかけて該載置材２の孔５を通過させ、被包材１を引き上げる。この場合において、載置材２に穿設された円形の孔５の径は、被包材１の底部に装着された係止部材４の内径よりもやや小さな径に形成されているため、すなわち被包材１の係止部材４の内径が載置材２の孔５の径よりも大きく形成されているため、被包材１の係止部材４が載置材２の孔５の周縁部に係止され、それによって載置材２の孔５からの抜け出しが好適に禁止されることとなる。このようにして、被包材１と載置材２とで根鉢用固定用具７が構成されることとなる。
【００２６】
次に、図６に示すように予め地面に形成された植穴９内に前記根鉢用固定用具７を設置し、その根鉢用固定用具７の被包材１に根鉢１０を収納する。より詳細に説明すると、植穴９の底面に散布された客土１１の上に根鉢用固定用具７の載置材２を載置し、被包材１の開口部３から根鉢１０を収納し、根鉢１０の側壁面に沿って被包材１を上方へ引き上げる。
【００２７】
この場合、被包材１が緩まないように、根鉢１０の側壁面に接触させながら被包材１を引き上げるのであるが、上述のように被包材１の係止部材４が載置材２の孔５の周縁部に係止され、載置材２の孔５から被包材１が抜け出るのが阻止されているため、被包材１を根鉢１０の側壁面に接触させつつ、根鉢１０の外形に沿わせて被包材１で根鉢１０に被包することができる。
【００２８】
次に、図７及び図８に示すように、被包材１の開口部３の周縁部に紐材１２を挿入し、紐材１２を引っ張ることによって被包材１を緊締させる。これによって被包材１の開口部３は閉塞されることはないものの、その開口部３の面積が小さくなり、結果的には及び図１０に示すように根鉢１０の上面部も被包材１で覆われることになる。
【００２９】
このように、被包材１の係止部材４を載置材２の裏面側における孔５の周縁部に係止させ、載置材２の孔５から被包材１が抜け出るのを阻止した状態で、紐材１２を引っ張って被包材１を緊締させることにより、根鉢１０の底面部、側面部、及び上面部の全体が被包材１で覆われ、根鉢１０は被包材１によって下側から上側に向かって包み込まれるようにして固定されることとなる。特に、載置材２の孔５が根鉢１０の径よりも小径に形成されているので、被包材１で根鉢１０を下側から上側に向かって包み込むように被包する効果を好適に発揮することができる。
【００３０】
従って、従来のようにワイヤーロープやベルト等の紐材を用いる必要がなく、このような紐材を用いていた場合のように根鉢と植穴底面間に隙間が生ずるようなことがなく、根鉢の移動に伴う根鉢の崩壊を防止することができ、また根鉢の肩部の一点に力が集中するようなことがなく、根鉢の肩部における崩壊等も防止することができる。しかも、樹木を固定しすぎることもないので、幹の成長が不良となることもなく、また発根が少なくなるということもないのである。
【００３１】
上述のように被包材１と載置材２とで根鉢を固定した後、図９に示すように、土１３
を植穴９内に埋める。これによって樹木の支持施工が完成する。
【００３２】
尚、上記実施形態では、被包材１の底部に係止部材４を装着し、載置材２の略中央に孔５を穿設し、被包材１の上部を絞り込んで載置材２の裏面側から表面側にかけて載置材２の孔５を通過させ、を引き上げて被包材１の係止部材４を載置材２の裏面側における孔５の周縁部に係止させることで、被包材１を載置材２に固定したが、被包材１を載置材２に固定する手段は該実施形態に限定されるものではない。
【００３３】
たとえば載置材２に孔５を形成せず、たとえば被包材１を止具等によって直接載置材２に取り付け、或いは被包材１を直接載置材２に縫い付ける等によって固定するような手段を採用することも可能である。また上記実施形態のような係止部材４を用いず、載置材２に孔５を形成するとともに、その孔５内に根鉢１０を収納した被包材１を嵌入した状態で固定することも可能である。
【００３４】
さらに、上記実施形態では、被包材１として合成樹脂製のネット状のものを使用したため、根鉢１０を下側から上側にかけて包み込むように被包する際の引き上げ力が有効に作用して根鉢１０を破損させることなく固定することができ、また通気性も維持することができるという好ましい効果が得られたが、被包材１の材質は合成樹脂製のネット状のものに限定されない。
【００３５】
合成樹脂以外に、たとえば麻、綿の天然素材、天然繊維、合成繊維、生分解性繊維、生分解性樹脂等からなるネットを用いることも可能であり、また一般にネットと認識されている網目構造を有するものに限定されず、たとえば微小孔が織物、不織布等に無数に穿設されているようなもの、スリット織物で矩形の空間が開いているもの、フラットヤーンのごとき偏平な繊維を縦横に織成してその縦横のヤーン間に隙間を形成したようなもの等を使用することも可能である。また極細の金属製の網状体を使用することも可能である。
【００３６】
ただし根鉢に沿って被包することができる程度の可撓性のある素材で構成する必要があり、また通気性を有していることが望ましい。この観点からは、空間を有し、可撓性を有するものが主として用いられることとなる。
【００３７】
また、上記実施形態では、係止部材４としてリング状のものを使用したが、係止部材４の形状も該実施形態に限定されるものではない。
【００３８】
また上記実施形態では、載置材２が、ヤシの繊維を編成又は織成したマット状のもので構成されていたが、載置材２の材質も該実施形態に限定されるものではない。たとえば麻や綿等のものを使用することも可能である。また紙製のものを用いることも可能である。さらには、このような天然素材の他、不織布のようなもの、或いは合成繊維、合成樹脂、生分解性繊維、生分解性樹脂等からなるものを用いることも可能である。ただし、載置した状態で面抵抗が生じ易いような素材で構成され、或いは面抵抗が生じ易いような形状に形成されていることが好ましい。
【００３９】
さらに、上記実施形態では、載置材２が平面略正方形状に形成されていたが、載置材２の形状も該実施形態に限定されるものではなく、たとえば略円形や略三角形状に形成することも可能であり、その形状は問わない。
【００４０】
さらに、上記実施形態では被包材１内に根鉢１０のみを収納したが、これに限らず、たとえば図１０に示すように被包材１内に土壌１４を収納し、その土壌１４の上に根鉢１０を載置するような状態で収納することも可能である。この場合には、土壌１４の量を調節することで、植穴９の深さに合わせて設置すべき根鉢１０の高さを調整することができるという利点がある。尚、この場合の土壌としては天然の土壌の他、人工土壌を用いることも可能であり、さらには土壌以外のもの、たとえば黒曜石パーライト、真珠岩パーライト等の粘土鉱物を発泡させた粒状体、ガラスカレット（ガラスの発泡体）、砕石、トリカルネット（三次元構造の合成樹脂製網状体）等を収納することも可能である。
【００４１】
これらのものを収納することで、水はけを良くなる等の効果が生ずる。
【００４２】
さらに、図１１に示すように、載置材２の周辺部に杭１５を打ち込むことも可能である。このような杭１５の打ち込みによって、植穴９内に設置する際に載置材２が不用意に位置ずれするのを好適に防止することができる。
【００４３】
さらに上記各実施形態では、植穴９内に、被包材１と載置材２からなる根鉢用固定用具
７を設置し、被包材１内に根鉢１０を収納して被包材１で被包した後、土で植穴９を閉塞して樹木を支持施工する、いわゆる地下支柱の方式で施工を行なったが、これに限らず、たとえば屋上庭園における樹木の支持施工に本発明を適用することも可能である。
【００４４】
このような屋上庭園に適用する場合においては、たとえば図１２に示すように、根鉢用
固定用具７を、１枚の載置材２と複数の被包材１で構成することも可能である。この場合には、１枚の載置材２に複数の孔５を穿設し、上記実施形態で説明したような被包材１の底部の係止部材４を孔５の裏面側の周縁部に係止させることによって、複数の被包材１が
１枚の載置材２に取り付けられることとなる。
【００４５】
図１２の例では屋上庭園に適用しているので、同図のように屋上を構成するコンクリート部１６に先ず基礎土壌１７を積層し、各被包材１内に根鉢１０を収納し被包材１で被包して前記基礎土壌１７の上部に複数の根鉢１０を載置し、その状態で盛土１８を積層することによって根鉢１０を盛土１８で埋設することによって屋上庭園において複数の樹木が支持施工されることとなる。
【００４６】
さらに、このような１枚の載置材２を用いる代わりに、複数の載置材２を結合してそれぞれに被包材１を取り付け、幾何学的に樹木を配置して支持施工することも可能であり、このように幾何学的に樹木を配置する場合、その載置材２の形状や載置材２への被包材１の配置態様は問わない。
【図面の簡単な説明】
【００４７】
【図１】一実施形態としての根鉢用被包材の正面図。
【図２】同平面図。
【図３】一実施形態としての根鉢用載置材の平面図。
【図４】図３のＡ−Ａ線断面図。
【図５】根鉢用載置材と根鉢用被包材からなる根鉢用固定具の断面図。
【図６】植穴内に根鉢用固定具を設置し、根鉢用固定具の根鉢用被包材に根鉢を収納する工程を示す概略断面図。
【図７】根鉢用被包材で根鉢を被包する工程を示す概略断面図。
【図８】同概略平面図。
【図９】植穴に土を埋める工程の概略断面図。
【図１０】他実施形態の支持施工状態を示す概略断面図。
【図１１】他実施形態の支持施工状態を示す概略断面図。
【図１２】他実施形態の支持施工状態を示す概略断面図。
【符号の説明】
【００４８】
１…被包材        ２…載置材
３…開口部        ４…係止部材
５…孔            ７…根鉢用固定用具
９…植穴        １０…根鉢
【図１】
2006280316.tif 000003
【図２】
2006280316.tif 000004
【図３】
2006280316.tif 000005
【図４】
2006280316.tif 000006
【図５】
2006280316.tif 000007
【図６】
2006280316.tif 000008
【図７】
2006280316.tif 000009
【図８】
2006280316.tif 000010
【図９】
2006280316.tif 000011
【図１０】
2006280316.tif 000012
【図１１】
2006280316.tif 000013
【図１２】
2006280316.tif 000014